(57)【要約】      （修正有）【課題】パッキン対応カメラボディとパッキン非対応カメラボディのいずれに接続した場合においても、カメラボディに対する光軸方向の位置関係が適正な状態になる交換式レンズ鏡筒を提供する。【解決手段】第１マウント環を備えるパッキン対応カメラボディと、内径は第１マウント環と同じで外径は小さい第２マウント環３０を備えるパッキン非対応カメラボディ２０Ｂとに着脱可能で、パッキン非対応カメラボディに装着したときは環状パッキンの後端部内周面が第２マウント環の径方向外側に位置し、パッキン対応カメラボディに装着したときは環状パッキンの後端部内周面が第１マウント環の外周面より径方向内側に位置する交換式レンズ鏡筒１０。【選択図】図６
2008077001.tif 000002
【特許請求の範囲】
【請求項１】
第１マウント環を備えるパッキン対応カメラボディと、内径は上記第１マウント環と同じで外径は該第１マウント環より小さい第２マウント環を備えるパッキン非対応カメラボディとに選択的に着脱可能でかつ弾性材料からなる環状パッキンを備える交換式レンズ鏡筒において、
上記パッキン非対応カメラボディに装着したときは、上記環状パッキンの後端部内周面が上記第２マウント環の径方向外側に位置し、
上記パッキン対応カメラボディに装着したときは、上記環状パッキンの後端部内周面が上記第１マウント環の外周面より径方向内側に位置することを特徴とする交換式レンズ鏡筒。
【請求項２】
第１マウント環を備えるパッキン対応カメラボディと、第２マウント環を備えるパッキン非対応カメラボディとに選択的に着脱可能でかつ弾性部材からなる環状パッキンを備える交換式レンズ鏡筒において、
第１マウント環は、第２マウント環と同一形状の部分と、この部分の外周縁に設けられた環状接触部とからなり、
上記パッキン非対応カメラボディに装着したときは、上記環状パッキンの後端部内周面が上記第２マウント環の径方向外側に位置し、
上記パッキン対応カメラボディに装着したときは、上記環状パッキンの後端部内周面が上記環状接触部の外周面より径方向内側に位置することを特徴とする交換式レンズ鏡筒。
【請求項３】
請求項１または２記載の交換式レンズ鏡筒において、
上記第１マウント環の前端面の外周縁部に環状テーパ面が形成してあり、
上記環状パッキンが該環状テーパ面に、該環状テーパ面の外周側から弾性接触する交換式レンズ鏡筒。
【請求項４】
レンズ側マウント環及び弾性材料からなる環状パッキンを具備する交換式レンズ鏡筒と、
前端部の外径が自由状態にある上記環状パッキンの後端部内径より大きい第１マウント環を備える、パッキン対応カメラボディと、
前端部の外径が上記第１マウント環の外径及び自由状態にある上記環状パッキンの後端部内径より小さく、かつその内径が上記第１マウント環と同一の第２マウント環を備え、上記レンズ側マウント環を該第２マウント環に結合したときに上記環状パッキンの後端部内周面が上記第２マウント環の径方向外側に位置するパッキン非対応カメラボディと、を備えることを特徴とするレンズ鏡筒交換式カメラシステム。
【請求項５】
レンズ側マウント環及び弾性材料からなる環状パッキンを具備する交換式レンズ鏡筒と、
上記レンズ側マウント環が結合可能な第２マウント環を備え、上記レンズ側マウント環を該第２マウント環に結合したときに上記環状パッキンの後端部内周面が上記第２マウント環の径方向外側に位置するパッキン非対応カメラボディと、
上記第２マウント環と同一形状の部分と、この部分の外周縁に設けられた環状接触部とからなり、その外径が自由状態にある上記環状パッキンの後端部内径より大きい第１マウント環を具備するパッキン対応カメラボディと、を備えることを特徴とするレンズ鏡筒交換式カメラシステム。
【請求項６】
請求項４または５記載のレンズ鏡筒交換式カメラシステムにおいて、
上記第１マウント環の前端面の外周縁部に環状テーパ面が形成してあり、
上記環状パッキンが該環状テーパ面に、該環状テーパ面の外周側から弾性接触するレンズ鏡筒交換式カメラシステム。
【発明の詳細な説明】
【技術分野】
【０００１】
本発明は、パッキン対応カメラボディとパッキン非対応カメラボディの双方に着脱可能な交換式レンズ鏡筒及び、これらパッキン対応カメラボディ、パッキン非対応カメラボディ及び交換式レンズ鏡筒を備えるレンズ鏡筒交換式カメラシステムに関する。
【背景技術】
【０００２】
従来から交換式レンズ鏡筒とカメラボディからなるカメラを防水対応とする場合、交換式レンズ鏡筒をカメラボディに装着した際に、カメラボディのボディ側マウントに弾性接触する環状パッキンを交換式レンズ鏡筒の後端部に設けている。
カメラメーカーは自社の総ての交換式レンズ鏡筒を自社の総てのカメラボディに装着可能とするために、自社の総てのカメラボディに同一形状のボディ側マウントを設けている（ボディ側マウントの形状はカメラメーカー毎に異なる）。
しかし、このようにカメラメーカーが総ての自社カメラボディのボディ側マウントの形状を統一しているので、パッキン付交換式レンズ鏡筒を購入したユーザには以下の不都合が生じていた。
【０００３】
図８及び図９は、弾性材料からなるパッキン０１５を備える交換式レンズ鏡筒０１０を、交換式レンズ鏡筒０１０と同じカメラメーカーの２種類のカメラボディ０２０Ａ、０２０Ｂに装着した状態を示している。
図８及び図９の交換式レンズ鏡筒０１０は同一のものであり、レンズ側マウント環０１２と、このレンズ側マウント環０１２の外周面に固着された環状のパッキン０１５を備えている。パッキン０１５の後端部は自由状態においてレンズ側マウント環０１２の後方に突出している。
【０００４】
図８のカメラボディはこの交換式レンズ鏡筒０１０に適合するように設計されたパッキン対応カメラボディ０２０Ａである。このパッキン対応カメラボディ０２０Ａのボディ側マウント環０２２にレンズ側マウント環０１２を結合すると、ボディ側マウント環０２２の前端部に形成した外方フランジ部０２４の前面（パッキン当接面）にパッキン０１５の後端部が弾性変形しながら接触する。従って図８では、交換式レンズ鏡筒０１０とパッキン対応カメラボディ０２０Ａの結合部がパッキン０１５によって防水される。
【０００５】
図９のカメラボディはパッキン非対応カメラボディ０２０Ｂである。このパッキン非対応カメラボディ０２０Ｂは、交換式レンズ鏡筒０１０との接続を考慮せずに設計されたものであるが、そのマウント環０２２の形状はパッキン対応カメラボディ０２０Ａのボディ側マウント環０２２と同一なので、図９に示すようにボディ側マウント環０２２には交換式レンズ鏡筒０１０のレンズ側マウント環０１２を着脱可能である。交換式レンズ鏡筒０１０をパッキン非対応カメラボディ０２０Ｂに装着すると、ボディ側マウント環０２２の外方フランジ部０２４の前面（パッキン当接面）にパッキン０１５の後端部が弾性変形しながら接触する。
【０００６】
【特許文献１】特開平１１−１７４５６２号公報
【発明の開示】
【発明が解決しようとする課題】
【０００７】
パッキン対応カメラボディ０２０Ａのボディ側マウント環０２２の後端面には弾性突片Ｒ１ａ’を具備する環状付勢部材Ｒ１’が固着してある。一方、パッキン非対応カメラボディ０２０Ｂのボディ側マウント環０２２の後端面には環状付勢部材Ｒ１’と同形状の環状付勢部材Ｒ２’（弾性突片Ｒ２ａ’を具備する）が固着してある。そして、交換式レンズ鏡筒０１０がボディ側マウント環０２２に結合したときにこれら弾性突片Ｒ１ａ’と弾性突片Ｒ２ａ’がレンズ側マウント環０１２を後方に押圧することにより、レンズ側マウント環０１２とボディ側マウント環０２２の光軸方向のガタを除去する。
パッキン対応カメラボディ０２０Ａの環状付勢部材Ｒ１’の弾性突片Ｒ１ａ’の付勢力は、パッキン０１５がボディ側マウント環０２２に及ぼす弾性力（パッキン付交換式レンズ鏡筒０１０をボディ側マウント環０２２に対して前方に付勢する付勢力）を考慮した上で設計してある。従って、交換式レンズ鏡筒０１０をパッキン対応カメラボディ０２０Ａに装着すると、パッキン０１５による前向きの付勢力と弾性突片Ｒ１ａ’による後向きの付勢力の合力によって交換式レンズ鏡筒０１０のパッキン対応カメラボディ０２０Ａに対する光軸方向位置が微調整され、交換式レンズ鏡筒０１０はパッキン対応カメラボディ０２０Ａに対して適切な光軸方向位置に保持される。
【０００８】
一方、パッキン非対応カメラボディ０２０Ｂはパッキン０１５がボディ側マウント環０２２の外方フランジ部０２４の前面に弾性接触することを考慮せずに設計されているので、その環状付勢部材Ｒ２’の弾性突片Ｒ２ａ’の付勢力もパッキン０１５がボディ側マウント環０２２に及ぼす弾性力（パッキン付交換式レンズ鏡筒０１０をボディ側マウント環０２２に対して前方に付勢する付勢力）を考慮せずに設計されている。
【０００９】
そのため、図９のように交換式レンズ鏡筒０１０をパッキン非対応カメラボディ０２０Ｂに装着した際にパッキン０１５がボディ側マウント環０２２に弾性接触すると、弾性突片Ｒ２ａ’の付勢力のみならずパッキン０１５の付勢力がボディ側マウント環０２２及びレンズ側マウント環０１２に及んでしまうので、交換式レンズ鏡筒０１０のパッキン非対応カメラボディ０２０Ｂに対する光軸方向位置が本来の適正な位置からずれてしまい、その結果、交換式レンズ鏡筒０１０のレンズ性能に影響が出てしまう。
そのため、パッキン１５を有する交換式レンズ鏡筒０１０を新たに購入したユーザは、せっかく購入したのにもかかわらず、この交換式レンズ鏡筒０１０をパッキン対応カメラボディ０２０Ａにしか装着できず、もとから所有しているパッキン非対応カメラボディ０２０Ｂに装着できなかった。
【００１０】
本発明の目的は、パッキン対応カメラボディとパッキン非対応カメラボディのいずれに接続した場合においても、カメラボディに対する光軸方向の位置関係が適正な状態になる交換式レンズ鏡筒及びにレンズ鏡筒交換式カメラシステムを提供することにある。
【課題を解決するための手段】
【００１１】
本発明のレンズ鏡筒は、第１の態様によると、第１マウント環を備えるパッキン対応カメラボディと、内径は上記第１マウント環と同じで外径は該第１マウント環より小さい第２マウント環を備えるパッキン非対応カメラボディとに選択的に着脱可能でかつ弾性材料からなる環状パッキンを備える交換式レンズ鏡筒において、上記パッキン非対応カメラボディに装着したときは、上記環状パッキンの後端部内周面が上記第２マウント環の径方向外側に位置し、上記パッキン対応カメラボディに装着したときは、上記環状パッキンの後端部内周面が上記第１マウント環の外周面より径方向内側に位置し、該環状パッキンの後端部が該第１マウント環の前端面に弾性接触することを特徴としている。
【００１２】
本発明のレンズ鏡筒は、第２の態様によると、第１マウント環を備えるパッキン対応カメラボディと、第２マウント環を備えるパッキン非対応カメラボディとに選択的に着脱可能でかつ弾性部材からなる環状パッキンを備える交換式レンズ鏡筒において、第１マウント環は、第２マウント環と同一形状の部分と、この部分の外周縁に設けられた環状接触部とからなり、上記パッキン非対応カメラボディに装着したときは、上記環状パッキンの後端部内周面が上記第２マウント環の径方向外側に位置し、上記パッキン対応カメラボディに装着したときは、上記環状パッキンの後端部内周面が上記環状接触部の外周面より径方向内側に位置することを特徴としている。
【００１３】
本発明のレンズ鏡筒交換式カメラシステムは、第１の態様によると、レンズ側マウント環及び弾性材料からなる環状パッキンを具備する交換式レンズ鏡筒と、前端部の外径が自由状態にある上記環状パッキンの後端部内径より大きい第１マウント環を備えるパッキン対応カメラボディと、前端部の外径が上記第１マウント環の外径及び自由状態にある上記環状パッキンの後端部内径より小さく、かつその内径が上記第１マウント環と同一の第２マウント環を備え、上記レンズ側マウント環を該第２マウント環に結合したときに上記環状パッキンの後端部内周面が上記第２マウント環の径方向外側に位置するパッキン非対応カメラボディと、を備えることを特徴としている。
【００１４】
本発明のレンズ鏡筒交換式カメラシステムは、第２の態様によると、レンズ側マウント環及び弾性材料からなる環状パッキンを具備する交換式レンズ鏡筒と、上記レンズ側マウント環が結合可能な第２マウント環を備え、上記レンズ側マウント環を該第２マウント環に結合したときに上記環状パッキンの後端部内周面が上記第２マウント環の径方向外側に位置するパッキン非対応カメラボディと、上記第２マウント環と同一形状の部分と、この部分の外周縁に設けられた環状接触部とからなり、その外径が自由状態にある上記環状パッキンの後端部内径より大きい第１マウント環を具備するパッキン対応カメラボディと、を備えることを特徴としている。
【００１５】
レンズ鏡筒とレンズ鏡筒交換式カメラシステムのいずれの態様においても、上記第１マウント環の前端面の外周縁部に環状テーパ面が形成してあり、上記環状パッキンが該環状テーパ面に、該環状テーパ面の外周側から弾性接触するのが好ましい。
【発明の効果】
【００１６】
本発明によれば、交換式レンズ鏡筒をパッキン対応カメラボディとパッキン非対応カメラボディのいずれに接続した場合においても、交換式レンズ鏡筒のカメラボディに対する光軸方向の位置関係が適正な状態になる。従って、パッキンを有する交換レンズ鏡筒を購入したユーザは、この交換式レンズ鏡筒をもとから所有しているパッキン非対応カメラボディに装着することが可能である。
【発明を実施するための最良の形態】
【００１７】
以下、本発明の一実施形態について図１〜図６を参照しながら説明する。
まずパッキン付交換式レンズ鏡筒１０の全体構造について説明する。
光軸Ｏを中心とする筒状部材である固定環１１の後端面には、固定環１１と同心をなし後方に向かうにつれて３段階に縮径する金属製のレンズ側マウント環１２が固着してある。図示するようにレンズ側マウント環１２の最も前方に位置する部分である環状フランジ部１３の外径は固定環１１の外径と同一である。レンズ側マウント環１２の後端部外周面には、周方向に１２０°間隔で３つの外方フランジ部１４が突設してある。固定環１１及び環状フランジ部１３の外周面にはゴム等の弾性材料からなる筒状の環状パッキン１５の内周面が固着してあり、環状パッキン１５の後端部は自由状態にあっては環状フランジ部１３より後方に突出している（図６参照）。
【００１８】
図１〜図４に示すパッキン対応カメラボディ２０Ａは、パッキン付交換式レンズ鏡筒１０と結合したときに環状パッキン１５によって両者の接合部がパッキンされるように設計されたカメラボディである。
パッキン対応カメラボディ２０Ａの前面の中央孔２１には金属製のボディ側マウント環（第１マウント環）２２が嵌合固定されている。ボディ側マウント環２２は中央孔２１に嵌る筒状部２３（内径はＬ２）と、筒状部２３の前端部から径方向外側に延出する環状フランジ部（ボディ側マウント環２２の前端部）２４とを有している。図示するように環状フランジ部２４の外径は自由状態にある環状パッキン１５の内径より大きいＬ１である（後述する環状フランジ部３１の外径位置に相当する図２の仮想線Ａ位置より外周側の部分が環状接触部３２であり、ボディ側マウント環２２の仮想線Ａより内周側部分の形状はボディ側マウント環３０と同一である）。環状フランジ部２４の前面は光軸Ｏに対して直交しており、環状接触部３２の前面はパッキン当接面２５となっている。ボディ側マウント環２２の内周面の後端部には、周方向に１２０°間隔で３つの内方フランジ部２６が突設してあり、隣り合う内方フランジ部２６の間に正面視円弧状の円弧状切欠２７が３つ存在する。
【００１９】
ボディ側マウント環２２の後端面にはパッキン付交換式レンズ鏡筒１０のレンズ側マウント環１２がボディ側マウント環２２に結合したときに、レンズ側マウント環１２をボディ側マウント環２２に対して後方に付勢する（押圧する）環状付勢部材Ｒ１が固着してある。環状付勢部材Ｒ１（及び環状付勢部材Ｒ２）は例えば金属により成形可能であり、図３及び図４に示すように周方向に１８０°間隔で一対の弾性突片Ｒ１ａを具備している。この弾性突片Ｒ１ａは環状付勢部材Ｒ１の本体部から後方に突出するものであり弾性変形可能である。
【００２０】
図５及び図６に示すパッキン非対応カメラボディ２０Ｂは、パッキン付交換式レンズ鏡筒１０と結合したときに環状パッキン１５によって両者の接合部がパッキンされないように設計されたカメラボディである。
パッキン非対応カメラボディ２０Ｂの基本構造はパッキン対応カメラボディ２０Ａと同じであるが、ボディ側マウント環２２に相当するボディ側マウント環３０と、このボディ側マウント環３０の後端面に固定された環状付勢部材Ｒ２の構造がパッキン対応カメラボディ２０Ａとは異なる。
即ち、パッキン非対応カメラボディ２０Ｂのボディ側マウント環（第２マウント環）３０はボディ側マウント環２２と同一形状（寸法）の筒状部２３、内方フランジ部２６及び円弧状切欠２７を具備しており、筒状部２３の内径はパッキン対応カメラボディ２０Ａと同じくＬ２である。しかし、環状フランジ部２４に相当する環状フランジ部（ボディ側マウント環３０の前端部）３１の外径Ｌ３は環状フランジ部２４（外径Ｌ１）より短く、自由状態にある環状パッキン１５の後端部の内径よりも短い。環状フランジ部３１の前面も光軸Ｏに対して直交する平面である。
さらに環状付勢部材Ｒ２の形状（寸法）は環状付勢部材Ｒ１と同じであるが、弾性突片Ｒ２ａの付勢力は弾性突片Ｒ１ａの付勢力より小さく設計してある。
以上説明したパッキン付交換式レンズ鏡筒１０、パッキン対応カメラボディ２０Ａ及びパッキン非対応カメラボディ２０Ｂは本実施形態のレンズ鏡筒交換式カメラシステムの構成要素である。
【００２１】
次にパッキン付交換式レンズ鏡筒１０のパッキン対応カメラボディ２０Ａ及びパッキン非対応カメラボディ２０Ｂへの取付要領、並びに本実施形態のカメラシステムの作用効果について説明する。
最初にパッキン付交換式レンズ鏡筒１０のパッキン対応カメラボディ２０Ａへの取付要領について説明する。
先ずパッキン対応カメラボディ２０Ａから分離しているパッキン付交換式レンズ鏡筒１０を前方からボディ側マウント環２２に近づけて、レンズ側マウント環１２をボディ側マウント環２２の内部に挿入する。このとき、レンズ側マウント環１２の３つの外方フランジ部１４の周方向位置をボディ側マウント環２２の３つの円弧状切欠２７と一致させ、各外方フランジ部１４を各円弧状切欠２７を通して内方フランジ部２６の後方まで移動させる。この後にパッキン付交換式レンズ鏡筒１０全体を周方向に回転させて、各外方フランジ部１４を対応する内方フランジ部２６の直後まで回転移動させれば、パッキン付交換式レンズ鏡筒１０（レンズ側マウント環１２）のパッキン対応カメラボディ２０Ａ（ボディ側マウント環２２）への結合が完了する。
【００２２】
図２に示すように、パッキン付交換式レンズ鏡筒１０をパッキン対応カメラボディ２０Ａに結合するとボディ側マウント環２２の各内方フランジ部２６とレンズ側マウント環１２の外方フランジ部１４及びボディ側マウント環２２の環状段部２８との間には光軸Ｏ方向のクリアランスが生じる。さらに、パッキン付交換式レンズ鏡筒１０をパッキン対応カメラボディ２０Ａに結合すると図２に示すように環状パッキン１５の後端部がボディ側マウント環２２のパッキン当接面２５に変形（つぶれる）しながら弾性接触するので（環状パッキン１５が圧縮しながらボディ側マウント環２２との間をパッキン（防水）する）、環状パッキン１５の後端部の弾性力によってパッキン付交換式レンズ鏡筒１０がパッキン対応カメラボディ２０Ａに対して前方に移動付勢される。一方、環状付勢部材Ｒ１の弾性突片Ｒ１ａがパッキン付交換式レンズ鏡筒１０の外方フランジ部１４の前面をパッキン対応カメラボディ２０Ａに対して後方に移動付勢する。弾性突片Ｒ１ａの付勢力は環状パッキン１５の付勢力より大きいので、弾性突片Ｒ１ａの付勢力の一部によって環状パッキン１５の付勢力は打ち消され、弾性突片Ｒ１ａの付勢力の残部によって、パッキン付交換式レンズ鏡筒１０がパッキン対応カメラボディ２０Ａに対して上記クリアランスの範囲内で僅かに後方に移動し、パッキン付交換式レンズ鏡筒１０のパッキン対応カメラボディ２０Ａに対する光軸Ｏ方向位置が適正な位置に保持される。従って、パッキン付交換式レンズ鏡筒１０をパッキン対応カメラボディ２０Ａに接続するとパッキン付交換式レンズ鏡筒１０は設計値通りのレンズ性能を発揮できる。
【００２３】
一方、パッキン付交換式レンズ鏡筒１０はパッキン非対応カメラボディ２０Ｂに対してもパッキン対応カメラボディ２０Ａの場合と同様の要領により結合可能である。
そして、図６に示すようにパッキン付交換式レンズ鏡筒１０をパッキン非対応カメラボディ２０Ｂに結合すると、ボディ側マウント環２２の各内方フランジ部２６とレンズ側マウント環１２の外方フランジ部１４及び環状段部２８の間に光軸Ｏ方向のクリアランスができる。このとき、図６に示すように環状パッキン１５の後端部は環状フランジ部３１に当接しないので（圧縮しないので）、環状パッキン１５から環状フランジ部３１（ボディ側マウント環３０）には付勢力は及ばない。一方、上述の環状付勢部材Ｒ２の弾性突片Ｒ２ａがパッキン付交換式レンズ鏡筒１０の外方フランジ部１４の前面をパッキン非対応カメラボディ２０Ｂに対して後方に付勢するので、弾性突片Ｒ２ａの付勢力のみによってパッキン付交換式レンズ鏡筒１０がパッキン非対応カメラボディ２０Ｂに対して上記クリアランスの範囲内で僅かに後方に移動し、パッキン付交換式レンズ鏡筒１０のパッキン非対応カメラボディ２０Ｂに対する光軸Ｏ方向位置が適正な位置に保持される。
従って、パッキン付交換式レンズ鏡筒１０をパッキン非対応カメラボディ２０Ｂに接続した場合もパッキン付交換式レンズ鏡筒１０は設計値通りのレンズ性能を発揮できる。
【００２４】
以上説明したように、本実施形態のパッキン付交換式レンズ鏡筒１０はパッキン対応カメラボディ２０Ａに結合して使用する場合もパッキン非対応カメラボディ２０Ｂに結合して使用する場合も設計値通りのレンズ性能を発揮できるので、パッキン付交換式レンズ鏡筒１０とパッキン対応カメラボディ２０Ａのみを所有しているユーザがパッキン非対応カメラボディ２０Ｂを新たに購入した場合、このユーザはパッキン非対応カメラボディ２０Ｂ専用の新たな交換式レンズ鏡筒（パッキンなし）を購入する必要がない。
【００２５】
以上、本発明を上記実施形態について説明したが、本発明は上記実施形態に限定されるものではなく、様々な変更を施して実施可能である。
例えば、図７に示すようにパッキン対応カメラボディ２０Ａの環状フランジ部２４の環状接触部３２の前面外周縁部に環状テーパ面２４ａを形成し、パッキン付交換式レンズ鏡筒１０をパッキン対応カメラボディ２０Ａに結合したときに、環状パッキン１５の後端部が環状テーパ面２４ａに変形（つぶれる）しながら弾性接触するようにしてもよい。このような構成にすると、環状パッキン１５の後端部が環状テーパ面２４ａの外周側から環状テーパ面２４ａに弾性接触するので、ボディ側マウント環２２との間をより効果的にパッキン（防水）することが可能になる。
さらに、本実施形態（図７の変形例を含む）では環状フランジ部３１の外径Ｌ３を環状パッキン１５の後端部の内径より小さくしたが、環状フランジ部３１の外径Ｌ３を環状パッキン１５の後端部の内径と同じにしてもよい。
【図面の簡単な説明】
【００２６】
【図１】本発明の一実施形態のパッキン付交換式レンズ鏡筒をパッキン対応カメラボディに装着した様子を示す正面図である。
【図２】図１のII−II矢線に沿うカメラの拡大縦断側面図である。
【図３】環状付勢部材の正面図である。
【図４】環状付勢部材の側面図である。
【図５】パッキン付交換式レンズ鏡筒をパッキン非対応カメラボディに装着した様子を示す正面図である。
【図６】図５のVI−VI矢線に沿うカメラの拡大縦断側面図である。
【図７】ボディ側マウント環の変形例を具備するカメラの図２と同様の拡大縦断側面図である。
【図８】従来のパッキン付交換式レンズ鏡筒をパッキン対応カメラボディに装着したときの図２と同様の拡大縦断側面図である。
【図９】従来のパッキン付交換式レンズ鏡筒をパッキン非対応カメラボディに装着したときの図２と同様の拡大縦断側面図である。
【符号の説明】
【００２７】
１０    パッキン付交換式レンズ鏡筒
１１    固定環
１２    レンズ側マウント環
１３    環状フランジ部
１４    外方フランジ部
１５    環状パッキン
２０Ａ  パッキン対応カメラボディ
２０Ｂ  パッキン非対応カメラボディ
２１    中央孔
２２    ボディ側マウント環（第１マウント環）
２３    筒状部
２４    環状フランジ部（第１環状当接部）
２４ａ  環状テーパ面
２５    パッキン当接面
２６    内方フランジ部
２７    円弧状切欠
２８    環状段部
３０    ボディ側マウント環（第２マウント環）
３１    環状フランジ部（第２環状当接部）
３２    環状接触部
Ｌ１  Ｌ３  環状フランジ部の外径
Ｌ２    ボディ側マウント環の内径
Ｏ      光軸
Ｒ１  Ｒ２    環状付勢部材
Ｒ１ａ  Ｒ２ａ  弾性突片
【図１】
2008077001.tif 000003
【図２】
2008077001.tif 000004
【図３】
2008077001.tif 000005
【図４】
2008077001.tif 000006
【図５】
2008077001.tif 000007
【図６】
2008077001.tif 000008
【図７】
2008077001.tif 000009
【図８】
2008077001.tif 000010
【図９】
2008077001.tif 000011
【手続補正書】
【提出日】平成19年10月11日(2007.10.11)
【手続補正１】
【補正対象書類名】図面
【補正対象項目名】図２
【補正方法】変更
【補正の内容】
【図２】
2008077001.tif 000012
【手続補正２】
【補正対象書類名】図面
【補正対象項目名】図６
【補正方法】変更
【補正の内容】
【図６】
2008077001.tif 000013
【手続補正３】
【補正対象書類名】図面
【補正対象項目名】図７
【補正方法】変更
【補正の内容】
【図７】
2008077001.tif 000014
【手続補正４】
【補正対象書類名】図面
【補正対象項目名】図８
【補正方法】変更
【補正の内容】
【図８】
2008077001.tif 000015
【手続補正５】
【補正対象書類名】図面
【補正対象項目名】図９
【補正方法】変更
【補正の内容】
【図９】
2008077001.tif 000016